(57)【要約】【課題】  良好な使用感を保持しつつ、ひし形断面ブリッスルによる歯垢除去効果や着色汚れの除去効果等を効果的に発揮させることのできる歯ブラシを提供する。【解決手段】  複数の毛束１５ａ，１５ｂ，１５ｃからなるブラシ部１６を有し、ブラシ部１６を側面から見たときに、毛束１５ａ，１５ｂ，１５ｃの先端を結んだ先端線ｓが、湾曲が急な小湾曲凹部１７ａと、湾曲が緩やかな大湾曲凹部１７ｂとが連設する波形形状部分１７を備える歯ブラシ１０であって、小湾曲凹部１７ａと大湾曲凹部１７ｂには、各々ひし形断面ブリッスル１４ａからなるひし形毛束１５ａが含まれており、ひし形毛束１５ａは、ブラシ部１６の長手方向Ｘに他の円形断面ブリッスル１４ａからなる円形毛束１５ｃを介在させて植設されている。また、ブラシ部１６の長手方向Ｘの先端及び後端に、ひし形断面ブリッスル１４ａからなる補助ひし形毛束１５ｂが設けられている。【選択図】      図１
2006130012.tif 000002
【特許請求の範囲】
【請求項１】
複数の毛束からなるブラシ部を有し、該ブラシ部を側面から見たときに、毛束の先端を結んだ先端線が、湾曲が急な小湾曲凹部と、湾曲が緩やかな大湾曲凹部とが連設する波形形状部分を備える歯ブラシであって、
前記小湾曲凹部と前記大湾曲凹部には、各々全ブリッスル中の８０〜１００％がひし形断面ブリッスルであるひし形毛束が含まれており、該ひし形毛束は、前記ブラシ部の長手方向に円形又は６角形以上の正多角形断面ブリッスルからなる毛束を介在させて植設されている歯ブラシ。
【請求項２】
前記ひし形毛束は、ブラシ部を構成する前記複数の毛束に面積比で２５〜７５％含まれる請求項１記載の歯ブラシ。
【請求項３】
前記小湾曲凹部の最大曲率半径は０．５〜２．５ｍｍであり、前記大湾曲凹部の最大曲率半径は２．６ｍｍ以上である請求項１又は２に記載の歯ブラシ。
【請求項４】
前記小湾曲凹部が前記ブラシ部の長手方向の先端側に、前記大湾曲凹部が前記ブラシ部の長手方向の後端側に配置される請求項１〜３のいすれかに記載の歯ブラシ。
【請求項５】
前記ひし形毛束は、前記ブラシ部の長手方向と垂直な巾方向に複数連設して配置される請求項１〜４のいずれかに記載の歯ブラシ。
【請求項６】
前記小湾曲凹部の長手方向最先端の毛束が全ブリッスル中の８０〜１００％がひし形断面ブリッスルであるひし形毛束である請求項１〜５のいずれかに記載の歯ブラシ。
【請求項７】
前記ブラシ部の長手方向の先端に、ひし形断面ブリッスルからなる補助毛束が設けられている請求項１〜６のいずれかに記載の歯ブラシ。
【請求項８】
前記ひし形毛束又は前記補助ひし形毛束は、直径が１．７〜２．５ｍｍの大径毛束となっており、前記他のブリッスルからなる毛束は、直径が１〜１．６ｍｍの小径毛束となっている請求項１〜７のいずれかに記載の歯ブラシ。
【請求項９】
前記ひし形毛束又は前記補助ひし形毛束は、前記ブラシ部の巾方向中心側又は長手方向中心側に、０．５〜５度の角度で垂直方向から傾斜させて設けられている請求項１〜８のいずれかに記載の歯ブラシ。
【発明の詳細な説明】
【技術分野】
【０００１】
本発明は、歯ブラシに関し、特に、ひし形断面ブリッスルからなる毛束をブラシ部に含む歯ブラシに関する。
【背景技術】
【０００２】
歯ブラシは、複数本のブリッスルを束ねてなる毛束を、例えば植毛台に設けられた複数の植毛穴に平線を打ち込んだり熱で融着させる方法等によって植設固定することにより、複数の毛束からなるブラシ部を形成して得られるものである。また、歯ブラシは、歯面部、歯間部、歯頸部等の歯の部位や、前歯、奥歯等の歯の種類に応じた適切な刷掃を効率良く行うことができるように、毛束の配置やブラシ部の全体の形状、ブリッスルの形状等に種々の工夫がなされている。
【０００３】
例えば、毛束を構成するブリッスルの断面形状を、角部を有する四角形、略星形、六角形等とした歯ブラシが開示されており、このような歯ブラシによれば、非円形断面の略角部がスクレーパの作用をなして、歯間部にたまった歯垢を有効に落とすことが可能になる（例えば、特許文献１参照）。
【特許文献１】特開平６−１６９８１６号公報
【発明の開示】
【発明が解決しようとする課題】
【０００４】
また、毛束を構成するブリッスルとして、ひし形（ひし形に近似する形状の平行四辺形も含む）の断面形状を有するブリッスルを用いた歯ブラシは、歯の平滑面との接触面積が大きくなると共に、歯のすきまにブリッスルが入りやすくなるため、歯垢除去に有効である。
【０００５】
しかしながら、歯ブラシとして、ひし形断面ブリッスルによる毛束を有するものを用いる場合、上述のような作用効果が得られる一方で、ひし形断面ブリッスルを束ねた毛束は、その感触が硬くなって使用感が劣る。このような歯ブラシによる使用感を高めるためには、ブリッスルの毛径や毛束の束径を小さくすることが考えられるが、これらの方法では、ひし形断面ブリッスルによる上述の作用効果を十分に発揮することができなくなると共に、毛束の耐久性が劣ることになる。
【０００６】
本発明は、良好な使用感を保持しつつ、ひし形断面ブリッスルによる歯垢や着色汚れの除去を効果的に発揮させることのできる歯ブラシを提供することを目的とする。
【課題を解決するための手段】
【０００７】
本発明は、複数の毛束からなるブラシ部を有し、該ブラシ部を側面から見たときに、毛束の先端を結んだ先端線が、湾曲が急な小湾曲凹部と、湾曲が緩やかな大湾曲凹部とが連設する波形形状部分を備える歯ブラシであって、前記小湾曲凹部と前記大湾曲凹部には、各々全ブリッスル中の８０〜１００％がひし形断面ブリッスルであるひし形毛束が含まれており、該ひし形毛束は、前記ブラシ部の長手方向に円形又は６角形以上の正多角形断面のブリッスルからなる毛束を介在させて植設されている歯ブラシを提供することにより、上記目的を達成したものである。
なお、本発明においてひし形毛束とは全ブリッスル中の８０〜１００％がひし形断面ブリッスルである毛束を、円形ブリッスルとは円形又は６角形以上の正多角形断面ブリッスルからなる毛束を意味する。
【発明の効果】
【０００８】
本発明の歯ブラシによれば、良好な使用感を保持しつつ、ひし形断面ブリッスルによる歯垢や着色汚れの除去を効果的に発揮させることができる。
【発明を実施するための最良の形態】
【０００９】
本発明の好ましい第１実施形態について説明する。本第１実施形態の歯ブラシ１０は、図１（ａ）〜（ｃ）に示すように、把持部（図示せず）と植毛台１１とこれらを連結する首部１２とからなる歯ブラシ本体の植毛台１１に形成した複数の植毛穴１３ａ，１３ｂに、複数本のブリッスル１４ａ、１４ｂを束ねてなる毛束（タフト）１５ａ，１５ｂ，１５ｃを各々植毛（植設）することによって構成される。ここで、本第１実施形態によれば、第１植毛穴１３ａは、例えば直径が１．７〜２．５ｍｍの大きな直径の円形の植毛穴となっており、この第１植毛穴１３ａには、ひし形断面ブリッスル１４ａを束ねたひし形毛束１５ａ又は補助ひし形毛束１５ｂが植設されることになる。また、第２植毛穴１３ａは、例えば直径が１〜１．６ｍｍの、第１植毛穴１３ａと比較して小さな直径の円形の植毛穴となっており、この第２植毛穴１３ａには、円形断面ブリッスル１４ｂを束ねた円形毛束１５ｃが植設されることになる。
【００１０】
そして、本第１実施形態の歯ブラシ１０は、複数の毛束１５ａ，１５ｂ，１５ｃからなるブラシ部１６を有し、ブラシ部１６を側面から見たときに（図１（ｂ）参照）、毛束１５ａ，１５ｂ，１５ｃの先端を結んだ先端線ｓが、最大曲率半径が小さく湾曲が急な小湾曲凹部１７ａと、最大曲率半径が大きく湾曲が急な大湾曲凹部１７ｂとが連設する波形形状部分１７を備えている。また、小湾曲凹部１７ａと大湾曲凹部１７ｂには、各々ひし形断面ブリッスル１４ａからなるひし形毛束１５ａが含まれており、これらのひし形毛束１５ａは、ブラシ部１６の長手方向Ｘに、円形断面ブリッスル１４ｂからなる円形毛束１５ｃを介在させて植設されている。
【００１１】
さらに、本第１実施形態によれば、小湾曲凹部１７ａはブラシ部１６の長手方向Ｘの先端側に、大湾曲凹部１７ｂはブラシ部１６の長手方向Ｘの後端側に配置されており、ブラシ部１６の長手方向Ｘの先端には、ひし形断面ブリッスル１４ａからなる補助ひし形毛束１５ｂが設けられている。
【００１２】
さらにまた、本第１実施形態によれば、ひし形毛束１５ａと補助ひし形毛束１５ｂは、ブラシ部１６の巾方向Ｙの中心側又は長手方向Ｘの中心側に、０．５〜５度の角度で、植毛台１１に対して垂直な方向から傾斜して設けられている（図１（ａ）における矢印参照）。
【００１３】
歯ブラシ本体は、例えばポリプロピレン、ＡＢＳ樹脂等の合成樹脂からなり、本第１実施形態によれば、その植毛台１１の平坦な表面には、長手方向Ｘの先端部分に３箇所の第１植毛穴１３ａが開口形成されており、これらの第１植毛穴１３ａの後方部分には、ブラシ部１６の巾方向Ｙに３列、合計８箇所の第２植毛穴１３ｂが開口形成されている。またこれらの第２植毛穴１３ｂの後方部分には、ブラシ部１６の巾方向Ｙに１列、２箇所の第１植毛穴１３ａが開口形成されており、さらにこれらの第１植毛穴１３ａの後方部分には、ブラシ部１６の巾方向Ｙに３列、合計８箇所の第２植毛穴１３ｂが開口形成されている。そして、これらの第２植毛穴１３ｂの後方部分には、ブラシ部１６の長手方向Ｘの後端部分に位置して、ブラシ部１６の巾方向Ｙに１列、２箇所の第１植毛穴１３ａが開口形成されている。
【００１４】
これらの植毛穴１３ａ，１３ｂは、各々、例えば２〜４．５ｍｍ程度の深さを有しており、各植毛穴１３ａ，１３ｂには、ひし形毛束１５ａ、補助ひし形毛束１５ｂ、或いは円形毛束１５ｃが、例えば平線を打ち込む方法や熱で融着させる方法等によって、例えば植毛台１１の表面から７〜１５ｍｍの毛丈で植設されることになる。すなわち、先端部分の３箇所の第１植毛穴１３ａのうちの、先端の１箇所の第１植毛穴１３ａには、補助ひし形毛束１５ｂが植設されると共に、ブラシ部１６の巾方向Ｙに１列となった残りの２箇所の第１植毛穴１３ａには、ひし形毛束１５ａが植設される。またこれらのひし形毛束１５ａの後方の８箇所の第２植毛穴１３ｂには、円形毛束１５ｃが植設され、これらの円形毛束１５ｃの後方の２箇所の第１植毛穴１３ａには、ひし形毛束１５ａが植設される。さらに、これらのひし形毛束１５ａの後方の８箇所の第２植毛穴１３ｂには、円形毛束１５ｃが植設され、これらの円形毛束１５ｃの後方の２箇所の第１植毛穴１３ａには、ブラシ部１６の後端に配置されてひし形毛束１５ａが植設される。
【００１５】
上述のようにして、ひし形毛束１５ａ、補助ひし形毛束１５ｂ、及び円形毛束１５ｃが歯ブラシ１０の植毛台１１に植設されることにより、ひし形毛束１５ａと補助ひし形毛束１５ｂは、面積比で、ブラシ部１６を構成する全毛束１５ａ，１５ｂ，１５ｃの面積の総和の２５〜７５％の面積を占めることになる。ここで、各毛束１５ａ，１５ｂ，１５ｃの面積は、各毛束１５ａ，１５ｂ，１５ｃの根本部における断面積に相当する、これらが植設される第１植毛穴１３ａ、第２植毛穴１３ｂの開口面積を介して計算されるものである。本第１実施形態によれば、補助ひし形毛束１５ｂを含めたひし形毛束１５ａ，１５ｂは、ブラシ部１６を構成する複数の毛束１５ａ，１５ｂ，１５ｃ内に面積比で２５〜５０％含まれていることが好ましく、３０〜４５％含まれていることがさらに好ましい。ひし形毛束１５ａ，１５ｂが全毛束１５ａ，１５ｂ，１５ｃに面積比で２５〜７５％含まれていることにより、歯垢除去に有効であるという利点が得られることになる。
【００１６】
また、本第１実施形態によれば、上述のようにして、ひし形毛束１５ａ、補助ひし形毛束１５ｂ、及び円形毛束１５ｃが歯ブラシ１０の植毛台１１に植設されることにより、ひし形毛束１５ａは、ブラシ部１６の長手方向Ｘと垂直な巾方向Ｙの３列（小湾曲凹部１７ａに１列、大湾曲凹部１７ｂに２列）に、複数（本第１実施形態では各列２箇所）連設して配置されることになる。
【００１７】
さらに、本第１実施形態によれば、ブラシ部１６の巾方向Ｙに連設して配置された各一対のひし形毛束１５ａは、ブラシ部１７の巾方向Ｙの中心側に例えば２度の角度で、植毛台１１に対して垂直な方向から傾斜して設けられており、先端の補助ひし形毛束１５ｂは、ブラシ部１７の長手方向Ｘの中心側に例えば２度の角度で垂直方向から傾斜して設けられている。本第１実施形態によれば、ひし形毛束１５ａや補助ひし形毛束１５ｂが、ブラシ部１７の巾方向Ｙの中心側又は長手方向Ｘの中心側に、０．５〜５度の角度で垂直方向から傾斜させて設けられていることにより、歯垢除去に有効であると共に歯ブラシの広がりが防止されるという利点が得られることになる。
【００１８】
ひし形毛束１５ａ又は補助ひし形毛束１５ｂを構成するひし形断面ブリッスル１４ａは、例えばナイロン等の合成樹脂からなるフィラメント材であって、図２（ａ）に示すように、ひし形或いはひし形に近似する平行四辺形の断面形状を備えている。また、ひし形断面ブリッスル１４ａは、その毛径として、例えば断面二次半径の２倍が、６〜１０ｍｉｌ（０．１５〜０．２５ｍｍ）の太さを有しており、これを例えば十数本〜数十本束ねることによって、上述の第１植毛穴１３ａの開口形状に相当する、例えば１．７〜２．５ｍｍの束径のひし形毛束１５ａ、或いは補助ひし形毛束１５ｂが形成されることになる。
【００１９】
ここで、ひし形断面ブリッスル１４ａの断面形状は、２本の対角線における短い対角線に対する長い対角線の比（長い対角線／短い対角線）が１．２〜１．９となっていることが好ましい。短い対角線に対する長い対角線の比が１．２〜１．９となっていることにより、ブリッスルが歯間部位に入りやすくなると共にブリッスルの歯に対する接触面積が大きくなるという利点が得られることになる。また、ひし形毛束１５ａ又は補助ひし形毛束１５ｂは、当該毛束１５ａ，１５ｂを構成するブリッスル中にひし形断面ブリッスル１４ａが８０〜１００％含まれていれば、ひし形毛束１５ａ又は補助ひし形毛束１５ｂとしての機能を十分に発揮することが可能になる。なお、本第１実施形態によれば、各ひし形断面ブリッスル１４ａの先端の毛先には、ラウンド加工が施されている他、テーパー形状に加工することもできる。
【００２０】
円形毛束１５ｃを構成する円形断面ブリッスル１４ｂは、例えばナイロン等の合成樹脂や、豚毛などの天然素材からなるフィラメント材であって、図２（ｂ）に示すように、円形断面或いは６角形以上の正多角形断面を有している。また、円形断面ブリッスル１４ｂは、その毛径として、直径が例えば６〜１０ｍｉｌ（０．１５〜０．２５ｍｍ）の太さを有しており、これを例えば十数本〜数十本束ねることによって、上述の第２植毛穴１３ｂの開口形状に相当する、例えば１〜１．６ｍｍの束径の円形毛束１５ｃが形成されることになる。また、本第１実施形態によれば、各円形断面ブリッスル１４ｂの先端の毛先には、例えばラウンド加工を施すことができる他、テーパー形状や球状等に加工することもできる。
【００２１】
そして、本第１実施形態の歯ブラシ１０によれば、ブラシ部１６を側面から見たときに、毛束１５ａ，１５ｂ，１５ｃの先端を結んだ先端線ｓが、湾曲が急で最大曲率半径の小さな小湾曲凹部１７ａと、湾曲が緩やかで最大曲率半径の大きな大湾曲凹部１７ｂとが連設する波形形状部分１７を備えている。すなわち、本第１実施形態によれば、ブラシ部１６は、その巾方向Ｙに沿った断面における毛束１５ａ，１５ｂ，１５ｃの先端を同じ高さとして、当該巾方向に沿った先端面に凹凸がないように形成されていると共に、側面から見た先端線ｓが、３箇所の頂部１８ａ，１８ｂ，１８ｃを備える波形を描くようになっている。また先端頂部１８ａと中間頂部１８ｂとの間の下方に湾曲するようにして凹んだ部分によって、小湾曲凹部１７ａが形成され、中間頂部１８ｂと後端頂部１８ｃとの間の下方に湾曲するようにして凹んだ部分によって、大湾曲凹部１７ｂを形成されることになる。
【００２２】
さらに、小湾曲凹部１７ａと大湾曲凹部１７ｂとは、中間頂部１８ｂが位置する中間湾曲凸面１９を介してブラシ部１６の長手方向Ｘに連設して波形形状部分１７を形成している。ブラシ部１６の先端には、大湾曲凹部１７ｂに配置されたひし形毛束１５ａと隣接して、補助ひし形毛束１５ｂが１箇所に設けられることになる。
【００２３】
ここで、本第１実施形態によれば、小湾曲凹部１７ａは、その下方に湾曲する部分における最大曲率半径が０．５〜２．５ｍｍ、好ましくは０．６〜２ｍｍとなっており、大湾曲凹部１７ｂは、その下方に湾曲する部分における最大曲率半径が２．６ｍｍ以上、好ましくは２．６〜１０ｍｍとなっている。小湾曲凹部１７ａの最大曲率半径が０．５〜２．５ｍｍとなっていることにより、歯の裏側の凹状部や歯間部位を効率良く清掃できるという利点が得られることになる。また、大湾曲凹部１７ｂの最大曲率半径が２．６ｍｍ以上となっていることにより、歯の平滑面を満遍なく刷掃できるという利点が得られることになる。なお、本実施形態によれば、小湾曲凹部１７ａのブラシ部１６の長手方向Ｘに沿った長さは６〜８ｍｍとなっており、大湾曲凹部１７ｂのブラシ部１６の長手方向Ｘに沿った長さは９〜１３ｍｍとなっている。また、先端線ｓの頂部１８ａ，１８ｂ，１８ｃと、小湾曲凹部１７ａや大湾曲凹部１７ｂの底部との高低差は、０．５〜４ｍｍとなっている。
【００２４】
そして、上述の構成を備える本第１実施形態に歯ブラシ１０よれば、良好な使用感を保持しつつ、ひし形断面ブリッスル１４ａによる歯垢除去効果や着色汚れの除去効果等を効果的に発揮させることができる。すなわち、本第１実施形態の歯ブラシ１０は、最大曲率半径の小さな小湾曲凹部１７ａと、最大曲率半径の大きな大湾曲凹部１７ｂとが連設する波形形状部分１７を備え、小湾曲凹部１７ａと大湾曲凹部１７ｂには、各々ひし形断面ブリッスル１４ｂからなるひし形毛束１５ａが含まれており、これらのひし形毛束１５ａは、ブラシ部１７の長手方向Ｘに円形断面ブリッスル１４ｂからなる円形毛束１５ｂを介在させて植設されているので、感触が硬くなるひし形断面ブリッスル１４ａによるひし形毛束１５ａが植設されていても、ひし形毛束１５ａの間に介在する円形毛束１５ｂによってこれらの硬い感触を効果的に緩和させて、使用感を向上させることが可能になる。また、小湾曲凹部１７ａと大湾曲凹部１７ｂの各々に、歯の平滑面との接触面積が大きく、且つ歯のすきまに入りやすいひし形断面ブリッスル１４ｂからなるひし形毛束１５ａが含まれているので、図３（ａ）〜（ｃ）に示すように、例えば歯の裏側の凹状部を小湾曲凹部１７ａのひし形毛束１５ａによって効果的に刷掃することを可能にし（図３（ａ）参照）、例えば歯の表面や隙間を小湾曲凹部１７ａ及び大湾曲凹部１７ｂのひし形毛束１５ａによって効果的に刷掃することを可能にし（図３（ｂ）参照）、例えば奥歯と裂溝部を小湾曲凹部１７ａのひし形毛束１５ａによって効果的に刷掃することを可能にして（図３（ｃ）参照）、優れた歯垢除去効果や着色汚れの除去効果等が得られることになる。
【００２５】
さらに、本第１実施形態によれば、ブラシ部１６の長手方向Ｘの先端に、ひし形断面ブリッスル１４ａからなる補助ひし形毛束１５ｂが設けられているので、この補助ひし形毛束１５ｂによって、奥歯の刷掃をさらに効果的に行うことが可能になる。
【００２６】
図４（ａ），（ｂ）は、本発明の好ましい第２実施形態に係る歯ブラシ２０を示すものである。本第２実施形態に係る歯ブラシ２０は、上記第１実施形態の歯ブラシ１０と略同様の構成を備える一方で、大湾曲凹部１７ｂの先端側部分に配置されるひし形毛束１５ａと、後端のひし形毛束１５ａとの間に介在して設けられる円形断面ブリッスル１４ｂが、２列、６箇所に配置されている。
【００２７】
図５（ａ），（ｂ）は、本発明の好ましい第３実施形態に係る歯ブラシ３０を示すものである。本第３実施形態に係る歯ブラシ３０は、上記第１実施形態の歯ブラシ１０と略同様の構成を備える一方で、ブラシ部１６の後端にはひし形毛束１５ａが設けられておらず、ブラシ部１６の先端のみに補助ひし形毛束１５ｂが設けられている。
【００２８】
図６（ａ），（ｂ）は、本発明の好ましい第４実施形態に係る歯ブラシ４０を示すものである。本第４実施形態に係る歯ブラシ４０は、上記第１実施形態の歯ブラシ１０と略同様の構成を備える一方で、小湾曲凹部１７ａの先端部分に配置されるひし形毛束１５ａと大湾曲凹部１７ｂの先端側部分に配置されるひし形毛束１５ａとの間に介在して設けられる円形断面ブリッスル１４ｂ、及び大湾曲凹部１７ｂの先端側部分に配置されるひし形毛束１５ａと、後端のひし形毛束１５ａとの間に介在して設けられる円形断面ブリッスル１４ｂは、いずれも、２列、６箇所に配置されている。またブラシ部１６の先端に配置される毛束は、補助ひし形毛束１５ｂに代えて、円形毛束１５ｃとなっている。
【００２９】
これらの第２実施形態〜第４実施形態に係る歯ブラシ２０，３０，４０によっても、上記第１実施形態の歯ブラシ１０と略同様の作用効果を奏することになる。
【００３０】
なお、本発明は、上記各実施形態の構成に限定されることなく種々の変更が可能である。例えば、ひし形毛束は、ブラシ部の長手方向と垂直な巾方向に複数連設して配置される必要は必ずしもなく、ブラシ部に千鳥状に配置されていたり、ランダムに配置されていても良い。また、ブラシ部の長手方向の先端に補助ひし形毛束を設ける必要は必ずしもなく、ひし形毛束や補助ひし形毛束を傾斜させて植設する必要は必ずしもない。
【実施例】
【００３１】
以下、実施例及び比較例により、本発明の歯ブラシをさらに詳細に説明するが、本発明はこれらに限定されるものではない。
【００３２】
〔実施例１〕
上記第１実施形態の歯ブラシ１０と同様の構成を有する歯ブラシを実施例１の歯ブラシとして、「歯の平滑面と歯の隙間に対する歯垢除去力（着色汚れの除去力）」及び「使用感」について、後述の方法に従って評価した。評価結果を表１に示す。なお、ひし形毛束及び補助ひし形毛束の束径は１．８ｍｍとし、ひし形毛束又は補助ひし形毛束を構成するひし形断面ブリッスルの毛径は８ｍｉｌとした。ひし形毛束又は補助ひし形毛束は巾方向中心側又は長手方向中心側に、２度の角度で垂直方向から傾斜させた。また、円形毛束の束径は１．６ｍｍとし、円形毛束を構成する円形断面ブリッスルの毛径は８ｍｉｌとした。
【００３３】
〔比較例１，２〕
実施例１の歯ブラシを、小湾曲凹部又は大湾曲凹部における最も高い高さに毛丈を揃えて、比較例１の歯ブラシとした。また、実施例１の歯ブラシにおける、円形断面ブリッスルによる円形毛束を、束径はそのままにして、ひし形毛束や補助ひし形毛束と同様のひし形断面ブリッスルによる毛束と置き換えて、比較例２の歯ブラシとした。比較例１及び比較例２の歯ブラシに対して、実施例１の歯ブラシと同様に、「歯の平滑面と歯の隙間に対する歯垢除去力（着色汚れの除去力）」及び「使用感」について、後述の方法に従って評価した。評価結果を表１に示す。
【００３４】
【表１】
2006130012.tif 000003
【００３５】
〔歯の平滑面と歯の隙間に対する歯垢除去力〕
臨床評価試験は、以下の手順に従って行った。
すなわち、被験歯に歯列不正のない男性３名を被験者に選び、被験歯のポリッシングを行った。歯垢を完全に除去した後、歯磨きを停止させ、歯垢を蓄積させた。２４時間後、染色液にて歯垢を赤く染め出した後、各評価歯ブラシで歯磨きを行い、歯垢を除去した。
なお、歯磨きは、術者磨きにて以下の通りに行った。
ブラッシング方法：スクラッピング法
ブラッシング時間：２歯づつ１０秒間
ブラッシング圧力：２００ｇ
「歯垢除去良好」を「○」、「歯間部に歯垢残りがある」を「△」、「歯垢除去不十分」を「×」として評価した。
【００３６】
〔使用感〕
上述の男性３名の被験者に歯磨き時の使用感についてアンケートを行い、評価した。
なお、「歯や歯ぐきのあたり具合がやさしく、汚れが落ちる。」を「○」、「毛先の硬さを感じ、隙間に入りにくい。」を「△」、「とても毛先が硬く、歯ぐきが痛くて磨けない。」を「×」として評価した。
【００３７】
表１によれば、本発明に係る実施例１の歯ブラシは、「歯の平滑面と歯の隙間に対する歯垢除去力（着色汚れの除去力）」及び「使用感」のいずれについても、極めて高い評価が得られることが判明する。
【図面の簡単な説明】
【００３８】
【図１】本発明の好ましい第１実施形態に係る歯ブラシの要部の構成を説明する、（ａ）は平面図、（ｂ）は側面図、（ｃ）は正面図である。
【図２】（ａ）はひし形断面ブリッスルの説明図、（ｂ）は円形断面ブリッスルの説明図である。
【図３】（ａ）〜（ｃ）は、本発明の好ましい第１実施形態に係る歯ブラシを用いて、歯を刷掃する状況の説明図である。
【図４】本発明の好ましい第２実施形態に係る歯ブラシの要部の構成を説明する、（ａ）は平面図、（ｂ）は側面図は正面図である。
【図５】本発明の好ましい第３実施形態に係る歯ブラシの要部の構成を説明する、（ａ）は平面図、（ｂ）は側面図は側面図である。
【図６】本発明の好ましい第４実施形態に係る歯ブラシの要部の構成を説明する、（ａ）は平面図、（ｂ）は側面図である。
【符号の説明】
【００３９】
１０，２０，３０，４０  歯ブラシ
１１  植毛台
１２  首部
１３ａ  第１植毛穴
１３ｂ  第２植毛穴
１４ａ  ひし形断面ブリッスル
１４ｂ  円形断面ブリッスル
１５ａ  ひし形毛束
１５ｂ  補助ひし形毛束
１５ｃ  円形毛束
１６  ブラシ部
１７  波形形状部分
１７ａ  小湾曲凹部
１７ｂ  大湾曲凹部
１８ａ  先端頂部
１８ｂ  中間頂部
１８ａ  後端頂部
１９  中間湾曲凸面
ｓ    毛束の先端を結んだ先端線
Ｘ    ブラシ部の長手方向
Ｙ    ブラシ部の巾方向
【図１】
2006130012.tif 000004
【図２】
2006130012.tif 000005
【図３】
2006130012.tif 000006
【図４】
2006130012.tif 000007
【図５】
2006130012.tif 000008
【図６】
2006130012.tif 000009